【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  以下からなる群より選択される配列と少なくとも９５％同一のヌクレオチド配列を含有する単離されたポリヌクレオチド：
（ａ）配列番号２の残基−２７〜２２７をコードするヌクレオチド配列；
（ｂ）配列番号２の残基−２６〜２２７をコードするヌクレオチド配列；
（ｃ）配列番号２の残基１〜２２７をコードするヌクレオチド配列；
（ｄ）配列番号２の残基１〜１７８をコードするヌクレオチド配列；
（ｅ）ＡＴＣＣ受託番号２０９２３１に含まれるｃＤＮＡによってコードされる完全長ポリペプチドのアミノ酸配列をコードするヌクレオチド配列；
（ｆ）ＡＴＣＣ受託番号２０９２３１に含まれるｃＤＮＡによってコードされるＮ末端メチオニンを除く完全なポリペプチドのアミノ酸配列をコードするヌクレオチド配列；
（ｇ）ＡＴＣＣ受託番号２０９２３１に含まれるｃＤＮＡによってコードされる成熟ポリペプチドのアミノ酸配列をコードするヌクレオチド配列；および
（ｈ）ＡＴＣＣ受託番号２０９２３１に含まれるｃＤＮＡによってコードされるポリペプチドの細胞外ドメインのアミノ酸配列をコードするヌクレオチド配列。
【請求項２】  前記ポリヌクレオチドが、配列番号１として示されるヌクレオチド配列を含有する、請求項１に記載のポリヌクレオチド。
【請求項３】  前記ポリヌクレオチドが、配列番号２の残基−２６〜２２７をコードする、配列番号１におけるヌクレオチド配列の部分を有する、請求項１に記載のポリヌクレオチド。
【請求項４】  前記ポリヌクレオチドが、配列番号２の残基１〜１７８をコードする、配列番号１におけるヌクレオチド配列の部分を有する、請求項１に記載のポリヌクレオチド。
【請求項５】  以下からなる群より選択される配列と少なくとも９５％同一のヌクレオチド配列を含有する単離されたポリヌクレオチド：
（ａ）配列番号２の残基ｎ〜１７８のアミノ酸配列を含有するポリペプチドをコードするヌクレオチド配列であって、ここで、ｎは、−４〜１１の範囲の整数である、ヌクレオチド配列；
（ｂ）配列番号２の残基−４〜ｍのアミノ酸配列を含有するポリペプチドをコードするヌクレオチド配列であって、ここで、ｍは、５５〜１７８の範囲の整数である、ヌクレオチド配列；
（ｃ）配列番号２の残基ｎ〜ｍからなるアミノ酸配列を有するポリペプチドをコードするヌクレオチド配列であって、ここで、ｎおよびｍは、それぞれ、上記（ａ）および（ｂ）において規定される整数である、ヌクレオチド配列；
（ｄ）ＡＴＣＣ受託番号２０９２３１に含まれるｃＤＮＡによってコードされる完全ＣＫα−５アミノ酸配列の部分からなるポリペプチドをコードするヌクレ オチド配列であって、ここで、該部分は、該完全アミノ酸配列のアミノ末端から２３〜約３８のアミノ酸を除く、ヌクレオチド配列；
（ｅ）ＡＴＣＣ受託番号２０９２３１に含まれるｃＤＮＡによってコードされる完全ＣＫα−５アミノ酸配列の部分からなるポリペプチドをコードするヌクレ オチド配列であって、ここで、該部分は、該完全アミノ酸配列のカルボキシ末端から２４〜約１７２のアミノ酸を除く、ヌクレオチド配列；および
（ｆ）ＡＴＣＣ受託番号２０９２３１に含まれるｃＤＮＡによってコードされる完全ＣＫα−５アミノ酸配列の部分からなるポリペプチドをコードするヌクレ オチド配列であって、ここで、該部分は、上記（ｄ）および（ｅ）における任意のアミノ末端欠失およびカルボキシ末端欠失の組み合わせを含む、ヌクレオチド配列。
【請求項６】  前記ポリヌクレオチドが、ＡＴＣＣ受託番号２０９２３１に含まれるｃＤＮＡの完全ヌクレオチド配列を有する、請求項１に記載のポリヌクレオチド。
【請求項７】  前記ポリヌクレオチドが、ＡＴＣＣ受託番号２０９２３１に含まれるｃＤＮＡによってコードされるＮ末端メチオニンを除く完全アミノ酸配列をコードするヌクレオチド配列を有する、請求項１に記載のポリヌクレオチド。
【請求項８】  前記ポリヌクレオチドが、ＡＴＣＣ受託番号２０９２３１に含まれるｃＤＮＡによってコードされるポリペプチドの細胞外ドメインをコードするヌクレオチドを有する、請求項１に記載のポリヌクレオチド。
【請求項９】  請求項１に記載の（ａ）、（ｂ）、（ｃ）、（ｄ）、（ｅ）、（ｆ）、（ｇ）、（ｈ）または（ｉ）におけるヌクレオチド配列と同一なヌクレオチド配列を有するポリヌクレオチドに、ストリンジェントなハイブリダイゼーション条件下でハイブリダイズするポリヌクレオチドを含むポリヌクレオチドであって、ここでハイブリダイズする前記ポリヌクレオチドは、Ａ残基のみまたはＴ残基のみからなるヌクレオチド配列を有するポリヌクレオチドに、ストリン ジェントなハイブリダイゼーション条件下でハイブリダイズしない、ポリヌクレオチド。
【請求項１０】  請求項１に記載の（ａ）、（ｂ）、（ｃ）、（ｄ）、（ｅ）、（ｆ）、（ｇ）、（ｈ）または（ｉ）におけるアミノ酸配列を有するＣＫα −５ポリペプチドのエピトープ保有部分のアミノ酸配列をコードするヌクレオチド配列を含む、単離されたポリヌクレオチド。
【請求項１１】  以下からなる群より選択されるアミノ酸配列をコードするヌクレオチド配列を含む、請求項１０に記載の単離されたポリヌクレオチド；
（ａ）配列番号２のＴｙｒ−１２〜Ｓｅｒ−２４；
（ｂ）配列番号２のＣｙｓ−５５〜Ｖａｌ−６３；
（ｃ）配列番号２のＴｈｒ−９１〜Ｐｒｏ−１１０；および
（ｄ）配列番号２のＳｅｒ−１２０〜Ｉｌｅ−１４５。
【請求項１２】  異種ヌクレオチド配列に融合されている、請求項１〜１１のいずれか１項に記載のポリヌクレオチド。
【請求項１３】  前記異種ヌクレオチド配列は、異種ポリペプチドをコードする、請求項１２に記載のポリヌクレオチド。
【請求項１４】  前記異種ポリペプチドは、前記異種ヌクレオチド配列によりコードされるポリペプチドに融合されている、請求項１３に記載のポリヌクレオチド。
【請求項１５】  請求項１に記載の単離されたポリヌクレオチドをベクターに挿入する工程を包含する、組換えベクターを生成するための方法。
【請求項１６】  請求項１に記載の単離されたポリヌクレオチドを含む、組換えベクター。
【請求項１７】  前記ポリヌクレオチドは、調節性制御配列に作動可能に連結されている、請求項１６に記載の組換えベクター。
【請求項１８】  請求項１６に記載の組換えベクターを宿主細胞に導入する工程を包含する、組換え宿主細胞を産生するための方法。
【請求項１９】  請求項１に記載の単離されたポリヌクレオチドを含む、組換え宿主細胞。
【請求項２０】  前記宿主細胞は、原核生物細胞、真核生物細胞、脊椎動物細胞、Ｃｏｓ細胞、ＣＨＯ細胞、またはＥ．ｃｏｌｉ細胞である、請求項１９に記載の組換え宿主細胞。
【請求項２１】  ＣＫα−５ポリペプチドを生成するための組換え方法であって、ＣＫα−５ポリペプチドが発現されるような条件下で請求項１９または２０のいずれかに記載の組換え宿主細胞を培養する工程、および該ポリペプチドを回収する工程を包含する、方法。
【請求項２２】  以下からなる群より選択されるアミノ酸配列と少なくとも９５％同一のアミノ酸配列を含む、単離されたＣＫα−５ポリペプチド；
（ａ）配列番号２として示されるアミノ酸配列、またはＡＴＣＣ受託番号２０９２３１に含まれるｃＤＮＡによってコードされるアミノ酸配列；
（ｂ）配列番号２の残基−２６〜２２７として示されるアミノ酸、またはＡＴＣＣ受託番号２０９２３１に含まれるｃＤＮＡによってコードされるＮ末端メチオニンを除く完全アミノ酸配列；
（ｃ）配列番号２の残基１〜２２７として示されるアミノ酸配列、またはＡＴＣＣ受託番号２０９２３１に含まれるｃＤＮＡによってコードされる成熟ＣＫα−５のアミノ酸配列；および
（ｄ）配列番号２の残基１〜１７８として示されるアミノ酸配列、またはＡＴＣＣ受託番号２０９２３１に含まれるｃＤＮＡによってコードされるポリペプチドの細胞外ドメインのアミノ酸配列。
【請求項２３】  請求項１〜８または１０〜１１のいずれか１項に記載のポリヌクレオチドによってコードされる、単離されたポリペプチド。
【請求項２４】  前記ポリペプチドは、標識されているか、改変されているか、グリコシル化されているか、またはポリエチレングリコールに融合されている、請求項２２または２３のいずれかに記載のポリペプチド。
【請求項２５】  前記ポリペプチドは、異種ポリペプチドに融合されている、請求項２２〜２４のいずれか１項に記載のポリペプチド。
【請求項２６】  請求項２２または２３のいずれかに記載のポリペプチドに対して特異的に結合する、単離された抗体。
【請求項２７】  ポリクローナル抗体、モノクローナル抗体、キメラ抗体、単鎖抗体、単鎖Ｆｖ抗体、ヒト抗体、ヒト化抗体、またはＦａｂフラグメントである、請求項２６に記載の抗体。